(57)【要約】【課題】モータの複数本の電線に補助キャップを被せる作業を効率よく、容易に行うことができる補助キャップ装着治具を提供すること。【解決手段】補助キャップ装着治具１は、第１片部２１及び第２片部２２よりなるガイド部２と支持部４１と規制部４２とを有してなる。ガイド部２は、第１片部２１と第２片部２２との当接状態において両者の当接面に沿って貫通形成されたガイド穴３を有している。ガイド穴３は、補助キャップ８の後端部８０２に設けたキャップ開口部８１よりも大きい内径の挿入口３２１とキャップ開口部８１よりも小さい内径の絞り口３２２とを結ぶようにテーパ状に設けたワイヤ挿入部３２を有している。【選択図】図６
2007043828.tif 000002
【特許請求の範囲】
【請求項１】
モータの複数本の電線に、先端が先細りした補助キャップを被せる作業を行う際に用いる補助キャップ装着治具であって、
一端に回転軸を有し、該回転軸を中心に互いに回動して開閉するよう連結された第１片部及び第２片部よりなるガイド部と、
該ガイド部の上記回転軸を下方に配してスライド可能に支持する支持部と、
上記ガイド部のスライド可能範囲のうち所定位置よりも下方に上記ガイド部が位置した際に、上記第１片部と上記第２片部とが当接して閉じた状態となるよう規制し、上記ガイド部が所定位置よりも上方に位置した際に、上記第１片部と上記第２片部とが開いた状態となりうるよう規制を解除する規制部とを有してなり、
上記ガイド部は、上記第１片部と上記第２片部との当接状態において両者の当接面に沿って貫通形成されたガイド穴を有しており、
該ガイド穴は、上記補助キャップの後端部に設けたキャップ開口部よりも大きい内径の挿入口と上記キャップ開口部よりも小さい内径の絞り口とを結ぶようにテーパ状に設けたワイヤ挿入部を有していることを特徴とする補助キャップ装着治具。
【請求項２】
請求項１において、上記ガイド穴は、上記ワイヤ挿入部の上記挿入口を設けた開口端部の反対側の開口端部側に、上記補助キャップの後端部を挿入可能なキャップ挿入部を有し、上記ワイヤ挿入部の上記絞り口を上記キャップ挿入部に連結してあることを特徴とする補助キャップ装着治具。
【請求項３】
請求項１又は２において、上記ガイド部に隣接して、上記補助キャップを載置するためのキャップ載置台が配設されており、該キャップ載置台の高さは、載置された上記補助キャップの軸心と、上記ガイド部が最下点に位置する場合の上記ガイド穴の軸心とが一致するよう設定してあることを特徴とする補助キャップ装着治具。
【請求項４】
請求項１〜３のいずれか１項において、上記支持部は、上記ガイド部の上記第１片部をスライド可能に保持しており、上記規制部は、上記第２片部に対面して配設されていることを特徴とする補助キャップ装着治具。
【請求項５】
請求項４において、上記規制部は、上記ガイド部のスライド方向に平行に立設しており、その上端は、滑らかな曲面形状を呈していることを特徴とする補助キャップ装着治具。
【発明の詳細な説明】
【技術分野】
【０００１】
本発明は、モータの複数本の電線に、先端が先細りした補助キャップを被せる作業を行う際に用いる補助キャップ装着治具に関する。
【背景技術】
【０００２】
近年、自動車搭載用モータの小型化が進められている。そのため、モータを構成する端子へとつながるリード線部を小さくすることが求められている。
一般的に、端子へとつながるリード線部は、絶縁を施すために筒状の絶縁スリーブ内に挿入して用いられる（特許文献１参照）。リード線部を絶縁スリーブ内に挿入する際には、まず、図１２に示すごとく、複数本の電線７１を束状にしたリード線部７に先端が先細りした補助キャップ８を被せる。そして、図１３、図１４に示すごとく、補助キャップ８をガイドにして、リード線部７を絶縁スリーブ９内に挿入する。
【０００３】
そのため、リード線部の束径を小さくするためには、リード線部を挿入する絶縁スリーブの径を小さくする必要がある。これに伴い、補助キャップの外径を小さくする必要がある。また、補助キャップの外径を小さくすることに伴い、その内径も小さくなる。そして、補助キャップにリード線部を挿入するとき、補助キャップの内径とリード線部の束径との差が小さくなり、挿入することが困難となる。そのため、補助キャップの内径がさらに小さくなれば、リード線部に補助キャップを被せる作業は、より困難となり、作業時間がさらに増えるおそれがある。
このことから、リード線部に補助キャップを被せる作業を容易に行うことができると共に、その作業時間を短縮することができる方法や手段が求められている。
【０００４】
【特許文献１】特開２００１−２８６０８６号公報
【発明の開示】
【発明が解決しようとする課題】
【０００５】
本発明は、かかる従来の問題点に鑑みてなされたものであり、モータの複数本の電線に補助キャップを被せる作業を効率よく、容易に行うことができる補助キャップ装着治具を提供しようとするものである。
【課題を解決するための手段】
【０００６】
モータの複数本の電線に、先端が先細りした補助キャップを被せる作業を行う際に用いる補助キャップ装着治具であって、
一端に回転軸を有し、該回転軸を中心に互いに回動して開閉するよう連結された第１片部及び第２片部よりなるガイド部と、
該ガイド部の上記回転軸を下方に配してスライド可能に支持する支持部と、
上記ガイド部のスライド可能範囲のうち所定位置よりも下方に上記ガイド部が位置した際に、上記第１片部と上記第２片部とが当接して閉じた状態となるよう規制し、上記ガイド部が所定位置よりも上方に位置した際に、上記第１片部と上記第２片部とが開いた状態となりうるよう規制を解除する規制部とを有してなり、
上記ガイド部は、上記第１片部と上記第２片部との当接状態において両者の当接面に沿って貫通形成されたガイド穴を有しており、
該ガイド穴は、上記補助キャップの後端部に設けたキャップ開口部よりも大きい内径の挿入口と上記キャップ開口部よりも小さい内径の絞り口とを結ぶようにテーパ状に設けたワイヤ挿入部を有していることを特徴とする補助キャップ装着治具にある（請求項１）。
【０００７】
本発明の補助キャップ装着治具は、上記のごとく、ガイド部と支持部と規制部とを有している。そして、上記ガイド部に形成された上記ガイド穴は、上記補助キャップの後端部に設けたキャップ開口部よりも大きい内径の挿入口と上記キャップ開口部よりも小さい内径の絞り口とを結ぶようにテーパ状に設けたワイヤ挿入部を有している。つまり、上記ガイド穴は、上記複数本の電線（以下、適宜、単に電線という）を挿入する上記挿入口を有しており、該挿入口は、最終的に上記電線を差し込む上記補助キャップのキャップ開口部よりも内径が大きい。そのため、上記電線がきちんと束状になっていなくても、上記電線を上記挿入口から容易に挿入することができる。
【０００８】
また、上記ガイド穴に形成された上記ワイヤ挿入部は、上記挿入口から上記絞り口に向けて内径が徐々に小さくなるテーパ状を呈している。そのため、上記電線を上記挿入口から上記絞り口に向けて移動させるにつれて、上記電線の束径（複数本の電線を束状にしたときの径）は、上記ワイヤ挿入部のテーパ状に案内されて徐々に小さくなる。そしてさらに、上記電線を上記絞り口まで移動させることにより、上記電線の束径を、上記キャップ開口部の内径よりも小さくすることができる。これにより、上記電線を上記キャップ開口部に容易に挿入することができる。即ち、上記電線に上記補助キャップを容易に被せることができる。
【０００９】
また、上記規制部は、上記ガイド部が所定位置よりも下方に位置した際に、上記第１片部と上記第２片部とが当接して閉じた状態（以下、これを閉状態という）となるよう規制することができ、上記ガイド部が所定位置よりも上方に位置した際に、上記第１片部と上記第２片部とが開いた状態（以下、これを開状態という）となるよう規制を解除することができる。そのため、両片部の閉状態において上記電線に上記補助キャップを被せる作業を行い、そのまま上記電線を上記ガイド部と共に上方にスライドさせることにより、上記両片部は、閉状態から開状態へと切り替わる。そして、上記電線を、上記ガイド部の上記ガイド穴内から取り出すことができる。これにより、上記電線に上記補助キャップを被せ、上記補助キャップ装着治具から取り出すという一連の作業を、効率よく、迅速に行うことができる。
【００１０】
このように、本発明の補助キャップ装着治具を用いることにより、モータの複数本の電線に補助キャップを被せる作業を効率よく、容易に行うことができる。そして、上記作業に要する時間を短縮することができる。
【発明を実施するための最良の形態】
【００１１】
本発明においては、上記ガイド穴は、上記ワイヤ挿入部の上記挿入口を設けた開口端部の反対側の開口端部側に、上記補助キャップの後端部を挿入可能なキャップ挿入部を有し、上記ワイヤ挿入部の上記絞り口を上記キャップ挿入部に連結してあることが好ましい（請求項２）。
この場合には、上記キャップ挿入部に上記補助キャップを挿入することにより、該補助キャップの後端部に設けられた上記キャップ開口部を上記ワイヤ挿入部に向けて開口させた状態で、上記補助キャップを固定することができる。そして、上記リード線部を上記絞り口からさらに上記キャップ挿入部に移動させることにより、上記キャップ開口部の内径よりもその束径が小さくなった上記リード線部を、上記ワイヤ挿入部に向けて開口させた上記キャップ開口部に容易に差し込むことができる。なお、上述した作業は、行う順序を逆にしてもよいし、同時に行ってもよい。
【００１２】
また、上記ガイド部に隣接して、上記補助キャップを載置するためのキャップ載置台が配設されており、該キャップ載置台の高さは、載置された上記補助キャップの軸心と、上記ガイド部が最下点に位置する場合の上記ガイド穴の軸心とが一致するよう設定してあることが好ましい（請求項３）。
この場合には、上記キャップ載置台に上記補助キャップを載置し、軸方向にスライドさせることにより、上記補助キャップを上記キャップ挿入部に容易に挿入することができる。また、上記補助キャップを上記キャップ挿入部内にしっかりと固定することができる。
【００１３】
また、上記支持部は、上記ガイド部の上記第１片部をスライド可能に保持しており、上記規制部は、上記第２片部に対面して配設されていることが好ましい（請求項４）。
この場合には、上記第１片部を上方にスライドさせることにより、上記第２片部の上記規制部による規制が解除され、両片部を閉状態から開状態へと容易に切り替えることができる。
【００１４】
また、上記規制部は、上記ガイド部のスライド方向に平行に立設しており、その上端は、滑らかな曲面形状を呈していることが好ましい（請求項５）。
この場合には、上記第１片部を上方にスライドさせることにより、上記第２片部の上記規制部による規制をスムーズに解除することができる。つまり、両片部の閉状態から開状態への切り替えをスムーズに行うことができる。
【実施例】
【００１５】
本発明の実施例にかかる補助キャップ装着治具について、図１〜図５を用いて説明する。
本例の補助キャップ装着治具１は、モータの複数本の電線７１よりなるリード線部７に、先端が先細りした補助キャップ８を被せる作業（図１２参照）を行う際に用いるものである。
補助キャップ装着治具１は、図１〜図３に示すごとく、一端に回転軸を有し、回転軸を中心に互いに回動して開閉するよう連結された第１片部２１及び第２片部２２よりなるガイド部２と、ガイド部２の回転軸を下方に配してスライド可能に支持する支持部４１と、ガイド部２のスライド可能範囲のうち所定位置よりも下方にガイド部２が位置した際に、第１片部２１と第２片部２２とが当接して閉じた状態（閉状態）となるよう規制し、ガイド部２が所定位置よりも上方に位置した際に、第１片部２１と第２片部２２とが開いた状態（開状態）となりうるよう規制を解除する規制部４２とを有してなる。
【００１６】
また、同図に示すごとく、ガイド部２は、第１片部２１と第２片部２２との当接状態において両者の当接面に沿って貫通形成されたガイド穴３を有している。ガイド穴３は、補助キャップ８の後端部８０２に設けたキャップ開口部８１よりも大きい内径の挿入口３２１とキャップ開口部８１よりも小さい内径の絞り口３２２とを結ぶようにテーパ状に設けたワイヤ挿入部３２を有している。
以下、これを詳説する。
【００１７】
図１、図２に示すごとく、補助キャップ装着治具１は、第１基台５１を有しており、この第１基台５１の上には、第２基台５２が設けられている。第２基台５２の上には、Ｌ字形状を呈した支持部４１と支持部４１に対向して設けられた規制部４２とが設けられている。支持部４１と規制部４２との間には、第１片部２１及び第２片部２２よりなるガイド部２が設けられている。また、第１基台５１の上には、ガイド部２に隣接するようにキャップ載置台４３が設けられている。
【００１８】
また、同図に示すごとく、ガイド部２は、第１片部２１及び第２片部２２より構成されており、両者は、下方に設けられた連結支点部２３により連結されている。第１片部２１及び第２片部２２は、この連結支点部２３の中心Ｃを回転軸の中心として互いに回動して開閉できるように構成されている。
【００１９】
また、同図に示すごとく、支持部４１は、ガイド部２の第１片部２１に対面して設けられている。支持部４１には、第１片部２１に対面する面に溝穴４１１が形成されており、第１片部２１には、支持部４１に対面する面に係合部（図示略）が形成されている。該係合部は、溝穴４１１と係合しており、溝穴４１１内を移動することができるように構成されている。即ち、支持部４１は、第１片部２１を支持部４１の溝穴４１１に沿って上下方向にスライドさせることができるように保持している。
【００２０】
また、同図に示すごとく、規制部４２は、ガイド部２の第２片部２２に対面して設けられている。規制部４２は、ガイド部２のスライド方向に平行して立設しており、その上端４２１は、滑らかな曲面形状を呈している。
また、規制部４２は、ガイド部２（第１片部２１）がスライドして移動できる範囲のうち、ガイド部２における連結支点部２３の中心Ｃが規制位置Ｐ２よりも下方に位置した場合（図２参照）には、両片部２１、２２が閉状態となるように規制する。また、連結支点部２３の中心Ｃが規制位置Ｐ２よりも上方に位置した場合（図５参照）には、両片部２１、２２が開状態となるように規制を解除する。
【００２１】
即ち、連結支点部２３の中心Ｃが規制位置Ｐ２よりも下方に位置した場合（図２参照）には、第２片部２２が規制部４２によって付勢され、両片部２１、２２は、当接して閉じた状態となる。一方、連結支点部２３の中心Ｃが規制位置Ｐ２よりも上方に位置した場合（図５参照）には、第２片部が規制部４２による付勢から開放され、第２片部２２は、連結支点部２３の中心Ｃを回転軸の中心として第１片部２１から遠ざかる方向、つまり、図中のＡ方向に回動する。そして、両片部２１、２２は、開いた状態となる。
なお、本例において、規制位置Ｐ２とは、規制部４２の上端部４２１における曲面形状が始まる位置である。
【００２２】
また、図３に示すごとく、ガイド部２には、ガイド穴３が形成されている。ガイド穴３は、一方の開口端部（第１開口端部）３０１側に、キャップ挿入部３１を有している。また、もう一方の開口端部（第２開口端部）３０２側に、挿入口３２１と絞り口３２２とを結ぶようにテーパ状に設けられたワイヤ挿入部３２を有している。挿入口３２１は、キャップ開口部８１よりも内径が大きく、絞り口３２２は、キャップ開口部８１よりも内径が小さい。つまり、ワイヤ挿入部３２は、挿入口３２１から絞り口３２２に向けて内径が徐々に小さくなるテーパ状を呈している。また、キャップ挿入部３１とワイヤ挿入部３２の絞り口３２２との間には、両者を連結させる連結部３３が形成されている。
なお、本例の連結部３３は、その内径が絞り口３２２と同じである。
【００２３】
また、図１、図２に示すごとく、キャップ載置台４３には、補助キャップ８を載置するためのキャップ載置部４３１が設けられている。キャップ載置台４３におけるキャップ載置部４３１の高さは、ガイド部２（第１片部２１）がスライド可能範囲の最下点に位置する場合、つまり、ガイド部２における連結支点部２３の中心Ｃが基準位置Ｐ１に位置する場合（図２参照）において、キャップ載置部４３１に載置された補助キャップ８の軸心とガイド穴３の軸心とが一致するように設定されている。
【００２４】
次に、本例の補助キャップ装着治具１を用いて、リード線部７に補助キャップ８を被せる作業について、図６〜図１１を用いて説明する。
まず、図６に示すごとく、補助キャップ８をキャップ載置台４３のキャップ載置部４３１に載置して、ガイド穴３のキャップ挿入部３１に挿入する。このとき、補助キャップ８の後端部８０２をガイド穴３の第２開口端部３０２側に向けて載置し、挿入する。これにより、キャップ開口部８１をワイヤ挿入部３２に向けて開口させた状態で、補助キャップ８を固定することができる。
【００２５】
次に、図７に示すごとく、複数本の電線７１よりなるリード線部７をワイヤ挿入部３２の挿入口３２１から挿入する。このとき、挿入口３２１の内径が、最終的にリード線部７を差し込むキャップ開口部８１よりも大きいため、複数本の電線７１がきちんと束状になっていなくても、リード線部７を挿入口３２１から容易に挿入することができる。
【００２６】
次に、図８に示すごとく、リード線部７を挿入口３２１から絞り口３２２に向けて移動させる。このとき、ワイヤ挿入部３２は、挿入口３２１から絞り口３２２に向けて内径が徐々に小さくなるテーパ状を呈しているため、リード線部７の束径は、ワイヤ挿入部３２のテーパ状に案内されて徐々に小さくなる。そして、リード線部７を絞り口３２２まで移動させることにより、リード線部７の束径は、絞り口３２２の内径とほぼ同じとなる。つまり、キャップ開口部８１の内径よりも小さくすることができる。
【００２７】
次に、図９に示すごとく、リード線部７を絞り口３２２から連結部３３を介してキャップ挿入部３１に移動させる。そして、キャップ開口部８１の内径よりもその束径が小さくなったリード線部７を、ワイヤ挿入部３２に向けて開口させたキャップ開口部８１に差し込む。
以上により、リード線部７に補助キャップ８を被せる。
なお、補助キャップ８をキャップ挿入部３１に挿入する作業と、リード線部７をワイヤ挿入部３２に挿入する作業とは、行う順序を逆にすることもできるし、同時に行うこともできる。
【００２８】
次に、図１０に示すごとく、補助キャップ８を被せたリード線部７をガイド穴３内に保持した状態で、第１片部２１を上方にスライドさせる。そして、連結支点部２３の中心Ｃが規制位置Ｐ２よりも上方に位置したところで、第２片部２２は、規制部４２による付勢から開放され、連結支点部２３の中心Ｃを回転軸の中心にしてＡ方向に回動する（図５参照）。これにより、両片部２１、２２は、閉状態から開状態へと切り替わる。
【００２９】
そして、図１１に示すごとく、リード線部７をガイド部２のガイド穴３内から取り出す。その後、第１片部２１を上方に保持していた力を取り除くと、第１片部２１は、自重により元の位置に戻る。これと同時に、第２片部２２は、規制部４２によって付勢された状態に戻る。つまり、ガイド部２における連結支点部２３の中心Ｃは、基準位置Ｐ１に戻る（図２参照）。そして、両片部２１、２２は、再び閉状態となる。
これにより、次の作業を行うことができる状態となる。
【００３０】
また、補助キャップ８を被せたリード線部７は、図１３、図１４に示すごとく、補助キャップ８をガイドにして筒状の絶縁スリーブ９内に挿入する。
【００３１】
次に、本例の補助キャップ装着治具１における作用効果について説明する。
本例の補助キャップ装着治具１において、ガイド穴３のワイヤ挿入部３２は、リード線部７を挿入する挿入口３２１を有しており、挿入口３２１は、最終的に電線７を差し込む補助キャップ８のキャップ開口部８１よりも内径が大きい。そのため、リード線部７を構成している複数本の電線７１がきちんと束状になっていなくても、リード線部７を挿入口３２１から容易に挿入することができる。
【００３２】
また、ワイヤ挿入部３２は、挿入口３２１から絞り口３２２に向けて内径が徐々に小さくなるテーパ状を呈している。そのため、リード線部７を挿入口３２１から絞り口３２２に向けて移動させるにつれて、リード線部７の束径は、ワイヤ挿入部３２のテーパ状に案内されて徐々に小さくなる。そしてさらに、リード線部７を絞り口３２２まで移動させることにより、リード線部７の束径を、キャップ開口部８１の内径よりも小さくすることができる。これにより、リード線部７をキャップ開口部８１に容易に挿入することができる。即ち、リード線部７に補助キャップ８を容易に被せることができる。
【００３３】
また、規制部４２は、ガイド部２における連結支点部２３の中心Ｃが規制位置Ｐ２よりも下方に位置した際（図２参照）に、両片部２１、２２が閉状態となるよう規制することができ、連結支点部２３の中心Ｃが規制位置Ｐ２よりも上方に位置した際（図５参照）に、両片部２１、２２が開状態となるよう規制を解除することができる。そのため、両片部２１、２２の閉状態においてリード線部７に補助キャップ８を被せる作業を行い、そのままリード線部７をガイド部２と共に上方にスライドさせることにより、両片部２１、２２は、閉状態から開状態へと切り替わる。そして、リード線部７を、ガイド部２のガイド穴３内から取り出すことができる。これにより、リード線部７に補助キャップ８を被せ、補助キャップ装着治具１から取り出すという一連の作業を、効率よく、迅速に行うことができる。
【００３４】
また、本例では、ガイド穴３は、ワイヤ挿入部３２の挿入口３２１を設けた第２開口端部３０２の反対側の第１開口端部３０１側に、補助キャップ８の後端部８０２を挿入可能なキャップ挿入部３１を有し、ワイヤ挿入部３２の絞り口３２２をキャップ挿入部３１に連結してある。そのため、補助キャップ８のキャップ開口部８１をワイヤ挿入部３２に向けて開口させた状態で、補助キャップ８を固定することができる。そして、キャップ開口部８１の内径よりもその束径が小さくなったリード線部７を、キャップ開口部８１に容易に差し込むことができる。
【００３５】
また、ガイド部２に隣接して、補助キャップ８を載置するキャップ載置部４３１を有するキャップ載置台４３が配設されている。そして、キャップ載置台４３におけるキャップ載置部４３１の高さは、ガイド部２における連結支点部２３の中心Ｃが基準位置Ｐ１に位置する場合（図２参照）において、キャップ載置部４３１に載置された補助キャップ８の軸心とガイド穴３の軸心とが一致するように設定してある。そのため、キャップ載置部４３１に補助キャップ８を載置することにより、補助キャップ８をキャップ挿入部３１に容易に挿入することができると共に、キャップ挿入部３１内にしっかりと固定することができる。
【００３６】
このように、本例の補助キャップ装着治具を用いることにより、複数本の電線よりなるリード線部に補助キャップを被せる作業を効率よく、容易に行うことができる。そして、上記作業に要する時間を短縮することができる。
【図面の簡単な説明】
【００３７】
【図１】実施例における、補助キャップ装着治具（閉状態）を示す斜視図。
【図２】実施例における、補助キャップ装着治具（閉状態）を示す側面図。
【図３】実施例における、ガイド穴の構造を示す説明図。
【図４】実施例における、補助キャップ装着治具（開状態）を示す斜視図。
【図５】実施例における、補助キャップ装着治具（開状態）を示す側面図。
【図６】実施例における、補助キャップをキャップ挿入部に挿入する工程を示す説明図。
【図７】実施例における、リード線部をワイヤ挿入部に挿入した状態を示す説明図。
【図８】実施例における、リード線部をワイヤ挿入部の絞り口まで移動させた状態を示す説明図。
【図９】実施例における、リード線部に補助キャップを被せた状態を示す説明図。
【図１０】実施例における、第１片部を上方にスライドさせた状態を示す説明図。
【図１１】実施例における、リード線部をガイド部のガイド穴内から取り出した状態を示す説明図。
【図１２】従来及び実施例における、リード線部に補助キャップを被せる工程を示す説明図。
【図１３】従来及び実施例における、補助キャップを被せたリード線部を絶縁スリーブに挿入する工程を示す説明図。
【図１４】従来及び実施例における、補助キャップを被せたリード線部を絶縁スリーブに挿入した状態を示す説明図。
【符号の説明】
【００３８】
１  補助キャップ装着治具
２  ガイド部
２１  第１片部
２２  第２片部
３  ガイド穴
３２  ワイヤ挿入部
３２１  挿入口
３２２  絞り口
４１  支持部
４２  規制部
７  リード線部
７１  電線
８  補助キャップ
８０２  後端部（補助キャップの後端部）
８１  キャップ開口部
９  絶縁スリーブ
【図１】
2007043828.tif 000003
【図２】
2007043828.tif 000004
【図３】
2007043828.tif 000005
【図４】
2007043828.tif 000006
【図５】
2007043828.tif 000007
【図６】
2007043828.tif 000008
【図７】
2007043828.tif 000009
【図８】
2007043828.tif 000010
【図９】
2007043828.tif 000011
【図１０】
2007043828.tif 000012
【図１１】
2007043828.tif 000013
【図１２】
2007043828.tif 000014
【図１３】
2007043828.tif 000015
【図１４】
2007043828.tif 000016